(57)【要約】【課題】開閉体の上昇を適切に規制できる開閉装置を提供する。【解決手段】開閉装置１は、開口部３に沿って昇降して開口部３を開閉する昇降可能な開閉体２１を備える。開閉装置１は、開閉体２１とともに昇降し開口部３の閉鎖時には垂れ下がった状態で開閉体２１の表面に沿って位置する可撓性の引掛体３１と、引掛体３１を引掛ける引掛受け体３２とを備える。引掛体３１を引掛受け体３２に引掛けることにより、開閉体２１の上昇を規制できる。【選択図】        図１
2005016124.tif 000002
【特許請求の範囲】
【請求項１】
開口部を開閉する移動可能な開閉体と、
この開閉体とともに移動する引掛体と、
この引掛体が引掛けられる引掛受け体とを備え、
前記引掛体が前記引掛受け体に引掛けられることにより前記開閉体の開移動方向への移動が規制される
ことを特徴とする開閉装置。
【請求項２】
開口部に沿って昇降して前記開口部を開閉する昇降可能な開閉体と、
この開閉体とともに昇降し、前記開口部の閉鎖時には垂れ下がった状態で前記開閉体の表面に沿って位置する引掛体と、
この引掛体が引掛けられる引掛受け体とを備え、
前記引掛体が前記引掛受け体に引掛けられることにより前記開閉体の上昇が規制される
ことを特徴とする開閉装置。
【請求項３】
引掛体は、所定長さの可撓性部材にて構成され、その下端側に引掛受け体に引掛ける引掛部が設けられている
ことを特徴とする請求項２記載の開閉装置。
【請求項４】
引掛体には、開閉体に対して着脱可能なもので、前記引掛体を開閉体の表面に沿って位置させるための保持手段が設けられている
ことを特徴とする請求項２または３記載の開閉装置。
【請求項５】
開閉体の上昇を規制する規制手段を備え、この規制手段を補助する補助規制手段が引掛体および引掛受け体にて構成されている
ことを特徴とする請求項２ないし４のいずれか一記載の開閉装置。
【発明の詳細な説明】
【０００１】
【発明の属する技術分野】
本発明は、開口部を開閉する開閉体を備えた開閉装置に関する。
【０００２】
【従来の技術】
従来は、例えば左右一対のガイドレールと、ガイドレールにて案内されつつ開口部に沿って昇降して開口部を開閉する昇降可能な開閉体と、開閉体の下端部に取り付けられたロックバーと、ガイドレールの下端部に取り付けられロックバーとの当接により開閉体の上昇を規制するストッパー体とを備えたシャッタ装置等の開閉装置が知られている（例えば、特許文献１参照。）。
【０００３】
【特許文献１】
実公平６−３１００号公報（第１頁、図１）
【０００４】
【発明が解決しようとする課題】
しかしながら、上記従来の開閉装置のように、ガイドレール側のストッパー体と開閉体側のロックバーとの当接によって開閉体の上昇を規制する構成では、開閉体の上昇（開移動方向への移動）を適切に規制することができないおそれがある。
【０００５】
本発明は、このような点に鑑みなされたもので、開閉体の開移動方向への移動を適切に規制できる開閉装置を提供することを目的とする。
【０００６】
【課題を解決するための手段】
請求項１記載の開閉装置は、開口部を開閉する移動可能な開閉体と、この開閉体とともに移動する引掛体と、この引掛体が引掛けられる引掛受け体とを備え、前記引掛体が前記引掛受け体に引掛けられることにより前記開閉体の開移動方向への移動が規制されるものである。
【０００７】
そして、引掛体が引掛受け体に引掛けられることにより開閉体の開移動方向への移動が規制されるものであるから、開閉体の開移動方向への移動が適切に規制される。
【０００８】
請求項２記載の開閉装置は、開口部に沿って昇降して前記開口部を開閉する昇降可能な開閉体と、この開閉体とともに昇降し、前記開口部の閉鎖時には垂れ下がった状態で前記開閉体の表面に沿って位置する引掛体と、この引掛体が引掛けられる引掛受け体とを備え、前記引掛体が前記引掛受け体に引掛けられることにより前記開閉体の上昇が規制されるものである。
【０００９】
そして、引掛体が引掛受け体に引掛けられることにより開閉体の上昇が規制されるものであるから、開閉体の上昇が適切に規制され、また、引掛体は、開口部の閉鎖時には垂れ下がった状態で開閉体の表面に沿って位置するため、引掛体を開閉体内から引き出す必要がある場合等に比べて、引掛体を引掛受け体に簡単に引掛けることが可能である。
【００１０】
請求項３記載の開閉装置は、請求項２記載の開閉装置において、引掛体は、所定長さの可撓性部材にて構成され、その下端側に引掛受け体に引掛ける引掛部が設けられているものである。
【００１１】
そして、所定長さの可撓性部材にて構成された引掛体の引掛部を引掛受け体に引掛けることにより、開閉体の上昇が適切に規制される。
【００１２】
請求項４記載の開閉装置は、請求項２または３記載の開閉装置において、引掛体には、開閉体に対して着脱可能なもので、前記引掛体を開閉体の表面に沿って位置させるための保持手段が設けられているものである。
【００１３】
そして、保持手段を開閉体に対して取り付けることにより、引掛体が開閉体の表面に沿って適切に位置することとなる。
【００１４】
請求項５記載の開閉装置は、請求項２ないし４のいずれか一記載の開閉装置において、開閉体の上昇を規制する規制手段を備え、この規制手段を補助する補助規制手段が引掛体および引掛受け体にて構成されているものである。
【００１５】
そして、規制手段と補助規制手段との両方を用いることで、開閉体の上昇がより一層適切に規制される。
【００１６】
【発明の実施の形態】
以下、本発明の開閉装置の一実施の形態の構成を図面を参照して説明する。
【００１７】
図１ないし図３において、１は開閉装置で、この開閉装置１は、例えば建物２に形成された窓開口である開口部３の室外側部分を開閉する電動式の窓シャッタである。なお、建物２には、開口部３の室内側部分を開閉するサッシ装置４が設けられている。
【００１８】
開閉装置１は、上下方向に長手状の左右一対の縦枠であるガイドレール１１を備え、両ガイドレール１１は、開口部３を介して互いに離間対向して配置されている。各ガイドレール１１には、開口部３に向って開口した横断面略コ字状の上下方向のガイド溝部１２がガイドレール１１の長手方向に沿って形成され、このガイド溝部１２の開口面１３が開口部３に面している。また、各ガイドレール１１には、上下方向に細長い略矩形板状の平板部１４がガイド溝部１２に隣接してガイドレール１１の長手方向に沿って形成されている。この平板部１４は、ガイド溝部１２の開口面１３と略同一面上に位置して開口部３に臨んでいる。
【００１９】
また、両ガイドレール１１の下端部間には、左右方向に長手状の横枠である下枠（図示せず）が配置されている。さらに、両ガイドレール１１の上端部間には、左右方向に長手状で下面を開口した略箱形状の収容ケース（シャッタボックス）１７が下枠と離間対向して配置されている。この収容ケース１７は、ねじ１８にて建物２の外壁部に固定されている。
【００２０】
そして、収容ケース１７内には、駆動手段であるモータ１９からの動力を受けて左右方向の回転中心軸線を中心として回転する左右方向に長手状で略円筒状の巻体（巻軸）２０が配置されている。そして、巻体２０には、開口部３に沿って昇降して開口部３の室外側部分を開閉する昇降可能な開閉体２１が設けられている。すなわち、巻体２０には、開閉体２１の吊元側の開移動方向先端部である上端部が取り付けられている。
【００２１】
この開閉体２１は、巻体２０に巻戻し可能に巻き取られるもので、閉移動方向（図示Ｃ方向）である移動方向一方としての下方への移動つまり下降により開口部３の室外側部分を閉鎖し、開移動方向（図示Ｏ方向）である移動方向他方としての上方への移動つまり上昇により開口部３の室外側部分を開口させるシャッタカーテンである。
【００２２】
すなわち、開口部３の閉鎖の際には、開閉体２１は、巻体２０から巻き戻されて両ガイドレール１１のガイド溝部１２にて案内されつつ下降し、開口部３に沿った略平板状の閉状態となって開口部３の室外側部分を閉鎖する。また、開口部３の開口の際には、開閉体２１は、巻体２０にて巻き取られて両ガイドレール１１のガイド溝部１２にて案内されつつ上昇し、略円筒状の開状態となって収容ケース１７内に収容されて開口部３の室外側部分を開口させる。
【００２３】
そして、開閉体２１は、互いに回動自在に連結された複数の開閉体構成部材であるスラット２３と、下端のスラット２３に回動自在に連結された閉移動方向先端部材（下端部材）である幅木とを有している。
【００２４】
各スラット２３は、例えば左右方向に細長い略矩形板状に形成されたもので、その断面形状が室内側に向って凸の略円弧状となっている。また、開閉体２１の閉移動方向先端部である下端部を構成する幅木は、図示しないが、例えば左右方向に長手状で略中空状の幅木本体部を有し、この幅木本体部の左右方向両端部にはこの幅木本体部に対して出入り可能なラッチ等の係合部が設けられている。
【００２５】
そして、ガイドレール１１の下端部には、開閉体２１の係合部と係脱する左右のラッチ掛り等の係合受け部（図示せず）が取り付けられている。両係合受け部は、開口部３の閉鎖時に開閉体２１の幅木本体部から両側方に向って突出した左右両側の係合部と係合して開閉体２１の下端側位置で開閉体２１の上昇（開移動方向への移動）を規制する。すなわち、係合部と係合受け部とにて、開口部３の閉鎖時に開閉体２１の下端側位置で開閉体２１の上昇（開移動方向への移動）を解除可能に規制する規制手段（主錠）が構成されている。なお、この規制手段による開閉体２１の上昇規制は、開閉体２１に設けられた操作レバーを操作して係合部を幅木本体部内に入れることで解除できる。
【００２６】
さらに、開閉装置１は、開閉体２１とともに昇降し、開口部３の閉鎖時には開閉体２１の上端側から垂れ下がった状態で開閉体２１の左右両側の室内側表面に沿って複数のスラット２３にわたって位置する左右の可撓性の引掛体（ロックベルト）３１を備えている。また、開閉装置１は、ガイドレール１１の上端部近傍に取り付けられ、開口部３の閉鎖時に引掛体３１がねじられるようにして引掛けられる左右の引掛受け体（ベルトフック）３２を備えている。なお、これらの引掛体３１および引掛受け体３２にて、規制手段を補助する補助規制手段（補助錠）３０が構成されており、この補助規制手段３０は、開口部３の閉鎖時に開閉体２１の上端側位置で開閉体２１の上昇（開移動方向への移動）を解除可能に規制する。
【００２７】
各引掛体３１は、開閉体２１と一体となって巻体２０に巻戻し可能に巻き取られるもので、スラット２３の幅寸法より長い所定長さの帯状の可撓性部材（ベルト等）にて構成されている。この引掛体３１の一端部である上端部が、開閉体２１を介して巻体２０の端部近傍に取り付けられている。すなわち、細長帯状の引掛体３１の上端部は、ボルト等の固定具３３にて、巻体２０に対して開閉体２１の上端部（上端のスラット２３）とともに共締めされて固定されている。
【００２８】
また、引掛体３１の他端部である下端部には、引掛受け体３２に引掛ける長孔状の引掛部である引掛孔部３４が形成されている。さらに、引掛体３１の下端部近傍には、開閉体２１に対して着脱可能なもので、引掛受け体３２に引掛ける前の引掛体３１を開閉体２１の室内側表面に沿って位置させるための保持手段３５が設けられている。この保持手段３５は、例えば磁性板からなるスラット２３にくっつく略円形板状のマグネット３６にて構成されている。このマグネット３６は、引掛体３１の開閉体２１との対向面の下端部近傍に取り付けられている。
【００２９】
各引掛受け体３２は、ガイドレール１１の平板部１４の上端部近傍から開口部３側に向って突出した円柱状の軸部３８を有し、この軸部３８の先端には軸部３８より径大状の径大部３９が一体に形成されている。
【００３０】
そして、開閉装置１は、開口部３の閉鎖時に、マグネット３６がスラット２３から離され、補助規制手段３０の引掛体３１の引掛孔部３４が引掛受け体３２の径大部３９に引掛けられることにより、開閉体２１の上昇が規制された状態となる（図３参照）。なお、この補助規制手段３０による開閉体２１の上昇規制は、引掛体３１を引掛受け体３２から外すことで解除できる（図２参照）。
【００３１】
次に、上記一実施の形態の作用等を説明する。
【００３２】
開口部３を閉鎖する場合、開閉体２１を巻体２０から巻き戻しつつ下降させ、略平板状の閉状態とする。この開閉体２１の下降の際に、係合部が幅木本体部内に一旦引っ込んで係合受け部の下方に入り込み、その結果、規制手段にて開閉体２１の上昇が規制された状態となる。すなわち、開閉体２１の下降により規制手段によるロックが自動的にかかる。
【００３３】
そして、この開口部３の閉鎖時に、規制手段と補助規制手段３０との２重ロックとする場合には、室内側から引掛体３１の下端側をつかんで、保持手段３５であるマグネット３６をスラット２３から離した後、引掛体３１の下端側をねじりながら開閉体２１の表面から離して引掛受け体３２側に移動させ、引掛体３１の引掛孔部３４を引掛受け体３２の径大部３９に引掛ける。
【００３４】
なお、開口部３の閉鎖時において、引掛受け体３２に引掛ける前の引掛体３１の下端部は、約５００ｍｍ〜１５００ｍｍの高さ位置に位置するので、操作者は、立った姿勢のまま、引掛体３１を引掛受け体３２に引掛けることができる。
【００３５】
なお、開口部３を開口させる場合は、引掛体３１を引掛受け体３２から外すとともに、操作レバーを操作して係合部を幅木本体部内に入れた後、開閉体２１を上昇させればよい。
【００３６】
このようにして、上記一実施の形態によれば、引掛体３１が引掛受け体３２に引掛けられることにより開閉体２１の上昇が規制されるものであるから、従来に比べて開閉体２１の上昇を適切に規制でき、特に、引掛体３１は室外から見えず、ロック位置が特定されないため、規制手段と補助規制手段３０との両方を用いることで、不本意な開閉体２１の上昇をより一層適切に規制でき、防犯性に優れている。
【００３７】
また、可撓性の引掛体３１は、引掛受け体３２に引掛ける前の段階では、開口部３の閉鎖時に垂れ下がった状態で開閉体２１の表面に沿って位置するため、引掛体３１が邪魔になるようなこともなく、引掛体３１を開閉体２１内から引き出す必要がある場合等に比べて引掛体３１を引掛受け体３２に簡単に引掛けることができ、操作性も良好である。
【００３８】
なお、開閉装置１は、窓開口である開口部３の周囲に固定された窓シャッタには限定されず、例えば、図示しないが、その他の開口部の周囲に固定された他のシャッタ装置、雨戸、引戸等のドア装置、ブラインド装置、スクリーン装置、オーバーヘッドドア装置等、或いは、これら装置のうちの同種または異種を複数並設したものでもよく、またモータ１９等を備えた電動式のものには限定されず、開閉体２１を手動で動かす手動式のもの等でもよい。
【００３９】
また、開閉体２１は、閉移動方向を下方としかつ開移動方向を上方とする上下方向に移動可能つまり昇降可能なものには限定されず、例えば、左右方向に移動可能なもの、床面等に沿って水平方向に移動可能なもの、床面等に対して傾斜した傾斜方向に移動可能なもの、或いは、これらの複合した方向に移動可能なもの等でもよい。
【００４０】
さらに、引掛体３１は、開閉体２１の吊元側から垂れ下がった状態で開閉体２１の表面に沿って位置するものには限定されず、例えば、開閉体２１に形成された収容部内に引出し可能に収容したもの等でもよく、また、開閉体２１の上下方向中央部から垂れ下がるようなもの等でもよい。
【００４１】
また、開閉体２１の下端側位置で開閉体２１の上昇を規制する規制手段は、必ずしも必要ではなく、また、この規制手段は例えばモータ１９のブレーキ手段等にて構成してもよい。
【００４２】
また、規制手段と補助規制手段３０との両方を設ける場合、設ける位置は任意であるが、高さ位置を異ならして設けることが防犯上好ましい。
【００４３】
さらに、開閉装置１は、引掛体３１および引掛受け体３２を左右両側に備えるものには限定されず、例えば、引掛体３１および引掛受け体３２を左右いずれか一方側にのみ備えるものでもよい。
【００４４】
また、開閉装置１は、例えば複数の引掛体３１を開閉体２１の側部に上下方向に並べて設け、かつ、複数の引掛受け体３２をガイドレール１１に引掛体３１に対応するように上下方向に並べて設けたもの等でもよい。
【００４５】
さらに、保持手段３５は、マグネット３６に限定されず、面状ファスナや吸盤等にて構成することもできる。
【００４６】
また、引掛体３１は、帯状の可撓性部材にて構成されたものには限定されず、例えば複数箇所で折曲げ可能な板状部材或いは棒状部材等にて構成されたもの等でもよく、またワイヤー等の紐状部材等にて構成することもできる。
【００４７】
さらに、引掛体３１を引掛受け体３２に引掛けるための構成（方式）は、引掛孔部３４と径大部３９との係合による引掛けには限定されず、任意であるが、例えば、引掛体３１がワイヤーである場合は、ループ状の引掛部とフック状の引掛受け体との係合による引掛けでもよく、また断面矢印状の引掛部と引掛受け体である引掛受け孔部との係合或いは嵌合による引掛け等でもよい。
【００４８】
【発明の効果】
請求項１の発明によれば、引掛体が引掛受け体に引掛けられることにより開閉体の開移動方向への移動が規制されるものであるから、開閉体の開移動方向への移動を適切に規制できる。
【００４９】
請求項２の発明によれば、引掛体が引掛受け体に引掛けられることにより開閉体の上昇が規制されるものであるから、開閉体の上昇を適切に規制でき、また、引掛体は、開口部の閉鎖時には垂れ下がった状態で開閉体の表面に沿って位置するため、引掛体を開閉体内から引き出す必要がある場合等に比べて、引掛体を引掛受け体に簡単に引掛けることができる。
【００５０】
請求項３の発明によれば、所定長さの可撓性部材にて構成された引掛体の引掛部を引掛受け体に引掛けることにより、開閉体の上昇を適切に規制できる。
【００５１】
請求項４の発明によれば、保持手段を開閉体に対して取り付けることにより、引掛体を開閉体の表面に沿って適切に位置させることができる。
【００５２】
請求項５の発明によれば、規制手段と補助規制手段との両方を用いることで、開閉体の上昇をより一層適切に規制できる。
【図面の簡単な説明】
【図１】本発明の開閉装置の一実施の形態を示す縦断面図である。
【図２】同上開閉装置の移動許容状態時における室内側からみた図である。
【図３】同上開閉装置の移動規制状態時における室内側からみた図である。
【符号の説明】
１    開閉装置
３    開口部
２１    開閉体
３０    補助規制手段
３１    引掛体
３２    引掛受け体
３４    引掛部である引掛孔部
３５    保持手段
【図１】
2005016124.tif 000003
【図２】
2005016124.tif 000004
【図３】
2005016124.tif 000005